(57)【要約】【課題】温度調整の応答性のすぐれた空調システムを提供する。【解決手段】熱源５を備えるとともに、熱源５から供給された熱を蓄える蓄熱装置３と、熱源５と蓄熱装置３とを接続して熱搬送流体が循環する蓄熱循環管路６１，６７，６３，６４と、を床下空間に備える空調システムＳである。  そして、蓄熱循環管路６１，６７，６３，６４には、熱搬送流体の熱が伝達される熱伝達部と熱伝達部に送風する送風機とを有して、熱搬送流体が保有する熱を床下空間の空気と熱交換する熱交換装置４が設置されている。【選択図】図１
2009264702.tif 000002
【特許請求の範囲】
【請求項１】
熱源を備えるとともに、床下空間に前記熱源から供給された熱を蓄える蓄熱装置と、前記熱源と前記蓄熱装置とを接続して熱搬送流体が循環する蓄熱循環管路と、を備える空調システムであって、
前記蓄熱循環管路には、前記熱搬送流体の熱が伝達される熱伝達部と前記熱伝達部に送風する送風機とを有して、前記熱搬送流体が保有する熱を床下空間の空気と熱交換する熱交換装置が設置されることを特徴とする空調システム。
【請求項２】
前記床下空間には、前記熱交換装置と前記熱源とを直接に接続して前記熱搬送流体が循環する熱交換循環管路が設けられることを特徴とする請求項１に記載の空調システム。
【請求項３】
前記熱交換装置には、床上空間から床下空間に空気を吸い込む吸込グリルが接続されるとともに、床上空間と床下空間との間には、床下空間から床上空間に空気を吹き出す吹出ガラリが配置されることを特徴とする請求項１又は請求項２に記載の空調システム。
【請求項４】
前記熱源としてヒートポンプを備えるとともに、床上空間には前記ヒートポンプの内部熱媒が循環する室内空調器が設置されることを特徴とする請求項１乃至請求項３のいずれか一項に記載の空調システム。
【請求項５】
請求項１乃至請求項４のいずれか一項に記載の空調システムを備えることを特徴とするユニット建物。
【請求項６】
請求項２乃至請求項４のいずれか一項に記載の空調システムを用いた空調方法であって、
深夜電力時間帯には、前記蓄熱循環管路を通じて前記蓄熱装置に蓄熱するとともに前記熱交換装置によって床下空間の空気と熱交換し、
朝晩時間帯には、前記熱交換循環管路を通じて前記熱交換装置によって床下空間の空気と熱交換することを特徴とする空調方法。
【発明の詳細な説明】
【技術分野】
【０００１】
本発明は、空調システムと、ユニット建物と、空調方法と、に関するものである。
【背景技術】
【０００２】
近年、建物の床下空間に蓄熱槽を設置することで、建物全体を床下から暖める床下暖房システムが普及している。
【０００３】
このように、床下に蓄熱槽を設置することで、従来の床置き型の蓄熱暖房機のように、建物の間取りを制限してしまうという問題が生じることはない。
【０００４】
例えば、特許文献１の住宅設置用の蓄熱槽では、床下空間に複数の熱媒貯蓄タンクを連結した構成が開示されている。
【０００５】
このように蓄熱槽を構成することによって、蓄熱槽を屋外に設置する必要がなくなり、屋外の敷地を有効活用できるとともに、この蓄熱槽を断熱シートで覆うことで放熱量を調整し、床下空間の温度変化を調整することができる。
【特許文献１】特開２００５−５５１３１号公報
【発明の開示】
【発明が解決しようとする課題】
【０００６】
しかしながら、前記した特許文献１では、蓄熱槽を断熱シートで覆うことで放熱量を調整してはいるものの、自然放熱によって床下空間を暖めていたため、温度調整の応答性がよいものではなかった。
【０００７】
そこで、本発明は、温度調整の応答性のすぐれた空調システム、ユニット建物及び空調方法を提供することを目的としている。
【課題を解決するための手段】
【０００８】
前記目的を達成するために、本発明の空調システムは、熱源を備えるとともに、床下空間に前記熱源から供給された熱を蓄える蓄熱装置と、前記熱源と前記蓄熱装置とを接続して熱搬送流体が循環する蓄熱循環管路と、を備える空調システムであって、前記蓄熱循環管路には、前記熱搬送流体の熱が伝達される熱伝達部と前記熱伝達部に送風する送風機とを有して、前記熱搬送流体が保有する熱を床下空間の空気と熱交換する熱交換装置が設置されることを特徴とする。
【０００９】
また、前記床下空間には、前記熱交換装置と前記熱源とを直接に接続して前記熱搬送流体が循環する熱交換循環管路が設けられる構成とすることができる。
【００１０】
さらに、前記熱交換装置には、床上空間から床下空間に空気を吸い込む吸込グリルが接続されるとともに、床上空間と床下空間との間には、床下空間から床上空間に空気を吹き出す吹出ガラリが配置されることが好ましい。
【００１１】
そして、前記熱源としてヒートポンプを備えるとともに、床上空間には前記ヒートポンプの内部熱媒が循環する室内空調器が設置される構成とすることができる。
【００１２】
また、本発明のユニット建物は、上記したいずれかの空調システムを備えることを特徴とする。
【００１３】
さらに、本発明の空調方法は、上記したいずれかの空調システムを用いた空調方法であって、深夜電力時間帯には、前記蓄熱循環管路を通じて前記蓄熱装置に蓄熱するとともに前記熱交換装置によって床下空間の空気と熱交換し、朝晩時間帯には、前記熱交換循環管路を通じて前記熱交換装置によって床下空間の空気と熱交換することを特徴とする。
【発明の効果】
【００１４】
このように、本発明の空調システムは、蓄熱循環管路には、熱搬送流体の熱が伝達される熱伝達部とこの熱伝達部に送風する送風機とを有して、熱搬送流体が保有する熱を床下空間の空気と熱交換する熱交換装置が設置されることを特徴とする。
【００１５】
したがって、送風機の送風量を調整することで熱伝達部からの放熱量を調整できるため、温度調整の応答性のすぐれた空調システムとなる。
【００１６】
また、床下空間には、熱交換装置と熱源とを直接に接続して熱搬送流体が循環する熱交換循環管路が設けられる構成とすることで、蓄熱装置を介さずに直接に熱交換装置に熱搬送流体を循環させて、いっそう応答性を高めることができる。
【００１７】
さらに、熱交換装置には吸込グリルが接続されるとともに、床上空間と床下空間との間には吹出ガラリが配置されることで、熱伝達部に温度差の大きい空気を送風できるため、熱を効率よく伝達できる。
【００１８】
そして、熱源としてヒートポンプを備えるとともに、床上空間にはヒートポンプの内部熱媒が循環する室内空調器が設置される構成とすることで、共通の設備を用いて室内空間を直接に温度調整できる。
【００１９】
また、本発明のユニット建物は、上記したいずれかの空調システムを備えることで、温度調整の応答性のすぐれたユニット建物となる。
【００２０】
さらに、本発明の空調方法は、深夜電力時間帯には、蓄熱循環管路を通じて蓄熱装置に蓄熱するとともに熱交換装置によって床下空間の空気と熱交換し、朝晩時間帯には、熱交換循環管路を通じて熱交換装置によって床下空間の空気と熱交換することを特徴とする。
【００２１】
このように、熱交換装置への熱搬送流体の供給元を時間帯に合わせて選択することで、空調に必要な費用を低減できるうえに、電力の負荷平準化に貢献する空調方法となる。
【発明を実施するための最良の形態】
【００２２】
以下、本発明の最良の実施の形態について図面を参照して説明する。
【００２３】
まず、図２の説明図を用いて、本実施の形態の空調システムＳを備えるユニット建物Ｕの全体構成を説明する。
【００２４】
本実施の形態のユニット建物Ｕには、床１０によって仕切られて、床上空間１５と床下空間１４とが形成されている。
【００２５】
この床上空間１５は、床１０、床１０の周りに立設された外壁１７，１７、外壁１７，１７の上端を覆う天井１６、などによって室外空間１８と隔てられて形成される。
【００２６】
さらに、この床上空間１５には、図１に示すように、非居室空間１５ｃ以外の居室空間としての和室１５ａに、後述する熱源としてのヒートポンプ５の内部熱媒がエアコン上流管６５やエアコン下流管６６を介して循環する室内空調器７１が設置されている。
【００２７】
また、床下空間１４は、床１０、底盤コンクリート１１、側壁コンクリート１２，１２、などによって室外空間１８と隔てられて形成される。
【００２８】
この床１０は、金属や木材によって形成される棒状の梁材（図示せず）や板状の床材（図示せず）を備えるもので、床下空間１４の熱を床上空間１５に伝達できるように、断熱材が取り付けられていない。
【００２９】
そして、本実施の形態の床１０には、図２に示すように、吸込グリル７２と吹出ガラリ７３とが設けられている。
【００３０】
この吸込グリル７２は、床上空間１５の空気を床下空間１４に設置されたファンコンベクタ４に直接に導入するもので、樹脂などによって格子状に形成されて大径のダクト７４を介してファンコンベクタ４の背面側に接続されている。
【００３１】
また、吹出ガラリ７３は、床下空間１４の空気を床上空間１５に導入するもので、樹脂などによって格子状に形成されてファンコンベクタ４の送風方向の床１０に埋設されている。
【００３２】
また、底盤コンクリート１１は、床下空間１４の下方を塞ぐようにスラブ状に設けられるもので、一年を通じて温度が安定している地盤と接しているため、一年を通じて安定した温度となっている。
【００３３】
さらに、側壁コンクリート１２，１２は、床下空間１４の側方を塞ぐようにして壁状に設けられるもので、床下空間１４に向いた内側面には、グラスウールなどの断熱材１３，１３が貼設されて、床下空間１４と室外空間１８とが断熱されるように形成される。
【００３４】
そして、本実施の形態のユニット建物Ｕは、主に床下空間１４に空調システムＳを備えている。
【００３５】
この空調システムＳは、図１に示すように、熱源としてのヒートポンプ５と、蓄熱装置としての蓄熱タンク３，３，３と、熱交換装置としてのファンコンベクタ４，４と、を備えている。
【００３６】
この熱源としてのヒートポンプ５は、コンプレッサや送風ファンなどを電気的に制御することによって、装置内を循環する内部熱媒を介して大気中の熱を移動させて、熱搬送流体を効率よく冷却又は加熱するもので、ユニット建物Ｕに近接する室外空間１８に設置されている。なお、この内部熱媒としては、二酸化炭素などを用いることができる。
【００３７】
そして、ヒートポンプ５の内部熱媒と空調システムＳを流れる熱搬送流体としての水とが熱交換し、熱を与えられたり奪われたりした水が空調システムＳ全体を循環することで空調システムＳに熱を供給することになる。なお、熱搬送流体としては水以外にもポリエチレングリコールなどその他のものを用いることもできる。
【００３８】
また、蓄熱装置としての蓄熱タンク３は、図２に示すように、合成樹脂や金属などによってタンク状に形成されて熱搬送流体としての水が充満される貯湯タンク３０と、この貯湯タンク３０を覆う断熱材３１と、を備えて床下空間１４に複数設置されている。
【００３９】
さらに、非蓄熱型の熱交換装置としてのファンコンベクタ４は、図３に示すように、熱伝達部としての複数のフィンによって構成される金属製の伝達板４０と、この伝達板４０に背面から送風する一対の送風機４１，４１と、この送風機４１，４１の動作を制御する制御部４３と、全体を支持する枠体４２と、を備えており、和室１５ａやリビングダイニング１５ｂの位置に対応して床下空間１４に配置されている。
【００４０】
したがって、熱搬送流体としての水がファンコンベクタ４を通過する際には、水の有する熱が伝導によって表面積の広い伝達板４０に伝達され、送風機４１，４１によって伝達板４０に空気を送風することで効率よく空気に熱が伝達される。
【００４１】
加えて、制御部４３は、床下空間１４に配置された温度センサ（図示せず）の検出温度に応じて送風機４１，４１の送風量を制御することで、伝達板４０を通じた放熱量（吸熱量）を制御して床下空間１４の温度を調整する。
【００４２】
そして、本実施の形態の空調システムＳは、図１に示すように、熱源としてのヒートポンプ５と蓄熱装置としての蓄熱タンク３とを接続して熱搬送流体としての水が循環する蓄熱循環管路を備えている。
【００４３】
この蓄熱循環管路は、ヒートポンプ５と蓄熱タンク３とを接続するタンク上流管６１と、蓄熱タンク３とヘッダ２３とを接続するタンク下流管６７と、ヘッダ２３と、ヘッダ２３とファンコンベクタ４とを接続するファン上流管６３と、ファンコンベクタ４とヒートポンプ５とをヘッダ２５を介して接続するファン下流管６４と、によって構成されている。
【００４４】
加えて、このタンク上流管６１の途中には、ヒートポンプ５から蓄熱タンク３への熱搬送流体の供給を制御するタンクバルブ２１と、熱搬送流体を蓄熱循環管路に循環させるためのタンクポンプ２６と、が設けられている。
【００４５】
同様に、本実施の形態の空調システムＳは、図１に示すように、熱交換装置としてのファンコンベクタ４と熱源としてのヒートポンプ５とを直接に接続して熱搬送流体としての水が循環する熱交換循環管路を備えている。
【００４６】
この熱交換循環管路は、ヘッダ２４で分岐されてヒートポンプ５とヘッダ２３とを接続するファン上流管６２と、ヘッダ２３と、ヘッダ２３とファンコンベクタ４とを接続するファン上流管６３と、ファンコンベクタ４とヒートポンプ５とをヘッダ２５を介して接続するファン下流管６４と、によって構成されている。
【００４７】
加えて、このファン上流管６２の途中には、ヘッダ２４の下流側にそれぞれのファンコンベクタ４，４に対応して、ヒートポンプ５からファンコンベクタ４，４への熱搬送流体の供給を制御するファンバルブ２２，２２と、熱搬送流体を熱交換循環管路に循環させるためのファンポンプ２７と、が設けられている。
【００４８】
次に、図５，６，７の説明図と図４の表を用いて、本実施の形態の空調システムＳの運転パターンについて暖房を例として説明する。
【００４９】
本実施の形態の空調システムＳの運転パターンは、図４の表に示すように、朝、日中、晩又は深夜のそれぞれの時間帯ごとに切り替えることができる。以下、それぞれの運転パターンについて、暖房する場合を例として説明する。
【００５０】
まず、深夜電力時間帯の運転方式である蓄熱予熱モードについて、図４，５を用いて説明する。
【００５１】
深夜電力時間帯は、午後１１時から翌日の午前７時までの、電力負荷が最も少なく電気料金がきわめて安い時間帯である。例えば、深夜電力時間帯の電気料金は７円／ｋＷｈである。
【００５２】
この深夜電力時間帯には、図５に示すように、蓄熱装置としての蓄熱タンク３への蓄熱と、蓄熱タンク３から排出された熱搬送流体が保有する熱を熱交換装置としてのファンコンベクタ４によって床下空間１４に放熱する予熱と、を同時に行っている。
【００５３】
すなわち、深夜電力時間帯には、ヒートポンプ５を運転させ、タンクポンプ２６を稼動させ、タンクバルブ２１を開くとともにファンバルブ２２，２２を閉じさせ、ファンコンベクタ４，４の送風機４１，４１（図３参照）を稼動させている。
【００５４】
したがって、ヒートポンプ５によって熱を供給された熱搬送流体としての温水は、タンク上流管６１を通り蓄熱タンク３，３，３の上部に貯留され、下部に溜まった冷めた温水は、タンク下流管６７，６７を通ってヘッダ２３，２３を介してファン上流管６３，６３からファンコンベクタ４，４に導入される。
【００５５】
つづいて、冷めた温水は、ファンコンベクタ４，４の配管を通過する際に、保有していた熱を伝達板４０に伝導することでさらに冷却される。
【００５６】
一方、吸込グリル７２を通じて取り込まれた床上空間１５（図２参照）の空気は、送風機４１によって伝達板４０に吹き付けられ（図３参照）、伝達板４０と接触して熱を得た空気は、吹出ガラリ７３から床上空間１５に排出される。
【００５７】
この際には、床下空間１４に配置された温度センサ（不図示）の検出値に基づいて、手動又は自動制御によってそれぞれの送風機４１の送風量を多段階に変えたり、複数ある送風機４１，４１の運転台数を変えたりして、全体の送風量を調整することで、伝達板４０からの放熱量を制御して床下空間１４の温度を調整できる。
【００５８】
そして、さらに冷却された温水は、ファン下流管６４を通じてヒートポンプ５に戻り、再び熱を供給されて蓄熱タンク３，３，３へ貯留される蓄熱・予熱サイクルを繰り返す。
【００５９】
次に、朝晩時間帯の運転方式である直焚きモードについて、図４，６を用いて説明する。
【００６０】
朝晩時間帯は、午前７時から午前１０時まで（朝）と午後５時から午後７時まで（晩）の、電力負荷が少なく電気料金が深夜電力時間帯の次に安い時間帯である。例えば、朝晩時間帯の電気料金は２０．３円／ｋＷｈである。
【００６１】
つまり、朝晩時間帯には、ヒートポンプ５を運転させ、ファンポンプ２７を稼動させ、タンクバルブ２１を閉じるとともにファンバルブ２２，２２を開かせ、ファンコンベクタ４，４の送風機４１，４１（図３参照）を稼動させている。
【００６２】
したがって、ヒートポンプ５によって熱を供給された熱搬送流体としての温水は、ファン上流管６２，６２を通ってヘッダ２３，２３を介してファン上流管６３，６３からファンコンベクタ４，４に直接に導入される。
【００６３】
つづいて、ほとんど冷却されずに温度を十分に保持した温水は、ファンコンベクタ４，４の配管を通過する際に、保有していた熱を伝達板４０に伝導することで冷却される。
【００６４】
一方、吸込グリル７２を通じて取り込まれた床上空間１５（図２参照）の空気は、伝達板４０と接触して十分な熱を得て吹出ガラリ７３から床上空間１５に排出される。
【００６５】
この際には、深夜電力時間帯の場合と同様に、伝達板４０からの放熱量を制御することで床下空間１４の温度を調整できる。
【００６６】
そして、冷却された温水は、ファン下流管６４を通じてヒートポンプ５に戻り、再び熱を供給されてファンコンベクタ４，４を通過する際に熱を失う直焚きサイクルを繰り返す。
【００６７】
つづいて、日中時間帯の運転方式であるタンク利用モードについて、図４，７を用いて説明する。
【００６８】
日中時間帯は、午前１０時から午後５時までの、電力負荷が最も多く電気料金が最も高い時間帯である。例えば、日中時間帯の電気料金は２５．２円／ｋＷｈである。
【００６９】
すなわち、日中時間帯には、ヒートポンプ５を停止させ、タンクポンプ２６を稼動させ、タンクバルブ２１を開くとともにファンバルブ２２，２２を閉じさせ、ファンコンベクタ４，４の送風機４１，４１（図３参照）を稼動させている。
【００７０】
したがって、蓄熱タンク３，３，３に貯留されて熱を蓄えた熱搬送流体としての温水は、タンク下流管６７，６７を通ってヘッダ２３，２３を介してファン上流管６３，６３からファンコンベクタ４，４に導入される。
【００７１】
つづいて、温度を保持した温水は、ファンコンベクタ４，４の配管を通過する際に、保有していた熱を伝達板４０に伝導することで冷却される。
【００７２】
一方、吸込グリル７２を通じて取り込まれた床上空間１５（図２参照）の空気は、伝達板４０と接触して十分な熱を得て、吹出ガラリ７３から床上空間１５に排出される。
【００７３】
この際には、深夜電力時間帯の場合と同様に、伝達板４０からの放熱量を制御することで床下空間１４の温度を調整できる。
【００７４】
そして、冷却された温水は、ファン下流管６４を通じてヒートポンプ５に戻り、熱を供給されずにファンコンベクタ４，４を通過する際に熱を失うタンク利用暖房サイクルを繰り返す。
【００７５】
次に、本実施の形態の空調システムＳの作用について説明する。
【００７６】
このように、本発明の空調システムＳは、蓄熱循環管路の蓄熱装置としての蓄熱タンク３，３，３の下流側には、熱搬送流体の熱が伝達される熱伝達部としての伝達板４０とこの伝達板４０に送風する送風機４１とを有して、熱搬送流体が保有する熱を床下空間１４の空気と熱交換する熱交換装置４，４が設置されることを特徴とする。
【００７７】
したがって、送風機４１の送風量を調整することで伝達板４０からの放熱量を調整できるため、温度調整の応答性のすぐれた空調システムＳとなる。
【００７８】
すなわち、従来は、自然放熱によって床下空間１４を暖めていたため、温度調整の応答性がよいものではなかったが、伝達板４０と送風機４１とを備えることで、送風機４１を制御して送風量を変えて放熱量（又は吸熱量）を積極的に調整できるようになり、温度調整の応答性が向上する。
【００７９】
加えて、このように温度調整の応答性が向上することで、従来のようにある程度の余裕を持って蓄熱する必要がなくなるため、空調システムＳの設備全体を必要な暖房（冷房）容量に合わせて合理的に構築できる。
【００８０】
つまり、従来のように応答性がよくない場合、必要な暖房容量を得るために最大の暖房容量に合わせてシステムを構築していたが、本実施の形態の空調システムＳでは、暖房容量が不足する場合には熱交換循環管路を通じて直接にファンコンベクタ４から放熱することで暖房容量の不足を随時補うことができる。
【００８１】
さらに、熱交換装置としてのファンコンベクタ４は、蓄熱装置としての蓄熱タンク３の下流側に設置することで、行きと帰りの熱搬送流体の温度差が大きくなるため、熱源としてのヒートポンプ５の効率が向上する。
【００８２】
また、床下空間１４には、熱交換装置としてのファンコンベクタ４と熱源としてのヒートポンプ５を直接に接続して熱搬送流体が循環する熱交換循環管路が設置される構成とすることで、蓄熱装置としての蓄熱タンク３を介さずに直接にファンコンベクタ４に熱搬送流体を循環させて、いっそう応答性を高めることができる。
【００８３】
つまり、蓄熱タンク３を介してファンコンベクタ４に温水を送る場合には、温水の温度が低くなっている場合などにはファンコンベクタ４を稼動させても床下空間１４がすぐに暖かくなりにくい。
【００８４】
そこで、ヒートポンプ５をファンコンベクタ４に直接に接続すれば、必要な時機にヒートポンプ５を運転することで、十分な温度の温水（冷水）がファンコンベクタ４に送られるため、床下空間１４をすぐに暖房（冷房）できる。
【００８５】
加えて、このように直接に熱交換（直焚き）する場合でも、熱源や熱交換循環管路として、前記した蓄熱循環管路と共通の設備を使用できるため、全体の設備を簡素化できるとともに費用を低減できる。
【００８６】
さらに、熱交換装置としてのファンコンベクタ４には吸込グリル７２が接続されるとともに、床上空間１５と床下空間１４との間には吹出ガラリ７３が配置されることで、伝達板４０に温度差の大きい空気を送風できるため、熱を効率よく伝達できる。
【００８７】
すなわち、伝達板４０を通じた空気への伝導・対流・放射による熱伝達は、伝達板４０と送風によって通過する空気との温度差が大きいほど効率がよくなるため、床下空間１４の空気よりも伝達板４０との温度差の大きい床上空間１５の空気を取り込むことで効率を向上させることができる。
【００８８】
そして、熱源としてヒートポンプ５を備えるとともに、床上空間としての和室１５ａやリビングダイニング１５ｂには、ヒートポンプ５の内部熱媒が循環する室内空調器７１が設置される構成とすることで、共通の設備を用いて和室１５ａやリビングダイニング１５ｂを直接に温度調整できる。
【００８９】
つまり、蓄熱タンク３に温水を蓄熱するために用いるヒートポンプ５の内部熱媒を、室内空調器７１にも循環させることで、特別に設備を設けることなく室内空調器７１を運転することができる。
【００９０】
また、本実施の形態のユニット建物Ｕは、上記したいずれかの空調システムＳを備えることで、温度調整の応答性のすぐれた居住者にとって快適なユニット建物Ｕとなる。
【００９１】
さらに、本実施の形態の空調方法は、深夜電力時間帯には、蓄熱循環管路を通じて蓄熱装置としての蓄熱タンク３に蓄熱するとともに熱交換装置としてのファンコンベクタ４によって床下空間１４の空気と熱交換し、朝晩時間帯には、熱交換循環管路を通じてファンコンベクタ４によって床下空間１４の空気と熱交換することを特徴とする。
【００９２】
このように、熱交換装置としてのファンコンベクタ４への熱搬送流体の供給元を時間帯に合わせて選択することで、空調に必要な費用を低減できるうえに、電力の負荷平準化に貢献する空調方法となる。
【００９３】
つまり、電力負荷の低い深夜電力時間帯には主に蓄熱し、電力負荷の中程度の朝晩電力時間帯には直接に暖房又は冷房することで、費用を低減しつつ電力負荷平準化に貢献できる。
【００９４】
以上、図面を参照して、本発明の最良の実施の形態を詳述してきたが、具体的な構成は、この実施の形態に限らず、本発明の要旨を逸脱しない程度の設計的変更は、本発明に含まれる。
【００９５】
例えば、前記実施の形態では、空調システムＳを、温水を循環させて暖房に用いる場合について説明したが、これに限定されるものではなく、冷水を循環させて冷房に用いることもできる。
【００９６】
また、前記実施の形態では、蓄熱循環管路と熱交換循環管路とが共通の管路を用いる場合について説明したが、これに限定されるものではなく、それぞれ別個に管路を備えるものであってもよい。
【００９７】
さらに、前記実施の形態では、蓄熱装置として断熱材で被覆された断熱タイプのものを用いる場合について説明したが、これに限定されるものではなく、断熱材で被覆されない放熱タイプのものであってもよい。
【００９８】
そして、前記実施の形態では、熱源としてヒートポンプ５を用いる場合について説明したが、これに限定されるものではなく、熱源として電熱器やガス給湯器などを用いるものであってもよい。
【図面の簡単な説明】
【００９９】
【図１】本発明の最良の実施の形態の空調システムの構成を説明する説明図である。
【図２】本発明の最良の実施の形態の空調システムを備えるユニット建物の全体構成を説明する断面図である。
【図３】ファンコンベクタの構成を説明する斜視図である。（ａ）は正面斜視図であり、（ｂ）は背面斜視図である。
【図４】本発明の最良の実施の形態の空調システムの運転スケジュールを説明する表である。
【図５】本発明の最良の実施の形態の空調システムの深夜電力時間帯における蓄熱予熱モードの流れを説明する説明図である。
【図６】本発明の最良の実施の形態の空調システムの朝晩時間帯における直焚きモードの流れを説明する説明図である。
【図７】本発明の最良の実施の形態の空調システムの日中時間帯におけるタンク利用モードの流れを説明する説明図である。
【符号の説明】
【０１００】
Ｕ          ユニット建物
Ｓ          空調システム
１４        床下空間
１５        床上空間
３          蓄熱タンク（蓄熱装置）
４          ファンコンベクタ（熱交換装置）
４０        伝達板（熱伝達部）
４１        送風機
５          ヒートポンプ（熱源）
６１        タンク上流管（蓄熱循環管路）
６２，６３  ファン上流管（熱交換循環管路）
６４        ファン下流管（蓄熱循環管路，熱交換循環管路）
６７        タンク下流管（蓄熱循環管路）
７１        室内空調器
７２        吸込グリル
７３        吹出ガラリ
【図１】
2009264702.tif 000003
【図２】
2009264702.tif 000004
【図３】
2009264702.tif 000005
【図４】
2009264702.tif 000006
【図５】
2009264702.tif 000007
【図６】
2009264702.tif 000008
【図７】
2009264702.tif 000009